【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
回転体（４）を回転駆動するステップモータ（６）であって、
前記回転体へ回転駆動力を与えるモータ本体（６３）と、
前記モータ本体を収容しているモータケーシング（６０）と、
前記モータケーシングを保持するモータ基板（６４）とを、備え、
前記モータ基板は、
前記モータケーシングを介して前記モータ本体が実装される実装面（６４０）と、
前記実装面とは反対側の係止面（６４１）と、
前記実装面及び前記係止面の間を貫通している係止孔（６４２）とを、有し、
前記モータケーシングは、
前記実装面及び前記係止面に対し斜めに延伸した弾性変形状態で前記係止孔に挿入されている係止腕（６１５）と、
前記実装面及び前記係止面に対し斜めに広がる当接面（２６１６ａ）を形成しており、前記モータ基板において前記係止面及び前記係止孔のなす係止角部（６４４）に前記当接面を当接させた状態で前記モータ基板に係止されている係止爪（６１６，２６１６）とを、有し、
前記係止爪は、
前記当接面を挟んで前記係止腕とは反対側に、前記係止面と対向する対向面（６１６ｂ）を形成しており、
前記当接面は、
前記係止腕及び前記対向面の各々と前記当接面との境界部（６１６ｃ，６１６ｄ）間にて前記係止角部と当接するように、シボ面状に形成されているステップモータ。
【請求項２】
前記モータ本体を通して前記回転体を照明するように、前記実装面に実装されて発光する回転体照明光源（６５）を、さらに備える請求項１に記載のステップモータ。
【請求項３】
前記モータケーシングは、
前記係止腕及び前記係止爪の組を、基準方向（Ｂ）にて前記回転体照明光源を挟む両側にそれぞれ有する請求項２に記載のステップモータ。
【請求項４】
前記モータケーシング及び前記モータ基板の一方は、
前記基準方向にて前記回転体照明光源を挟む両側にそれぞれ、位置決め突起（６２６）を有し、
前記モータケーシング及び前記モータ基板の他方は、
前記基準方向にて前記回転体照明光源を挟む両側にそれぞれ、前記位置決め突起との嵌合により前記モータケーシングを前記モータ基板に位置決めする位置決め孔（６４６）を、有する請求項３に記載のステップモータ。
【請求項５】
前記位置決め突起及び前記位置決め孔の組は、前記基準方向にて前記係止腕及び前記係止爪の組よりも前記回転体照明光源に近接配置されている請求項４に記載のステップモータ。
【請求項６】
回転体（４）を回転駆動するステップモータ（６）であって、
前記回転体へ回転駆動力を与えるモータ本体（６３）と、
前記モータ本体を収容しているモータケーシング（６０）と、
前記モータケーシングを保持するモータ基板（６４）とを、備え、
前記モータ基板は、
前記モータケーシングを介して前記モータ本体が実装される実装面（６４０）と、
前記実装面とは反対側の係止面（６４１）と、
前記実装面及び前記係止面の間を貫通している係止孔（６４２）とを、有し、
前記モータケーシングは、
前記実装面及び前記係止面に対し斜めに延伸した弾性変形状態で前記係止孔に挿入されている係止腕（６１５）と、
前記実装面及び前記係止面に対し斜めに広がる当接面（６１６ａ，２６１６ａ）を形成しており、前記モータ基板において前記係止面及び前記係止孔のなす係止角部（６４４）に前記当接面を当接させた状態で前記モータ基板に係止されている係止爪（６１６，２６１６）とを、有し、
前記モータ本体を通して前記回転体を照明するように、前記実装面に実装されて発光する回転体照明光源（６５）を、さらに備え、
前記モータケーシングは、
前記係止腕及び前記係止爪の組を、基準方向（Ｂ）にて前記回転体照明光源を挟む両側にそれぞれ有し、
前記モータケーシング及び前記モータ基板の一方は、
前記基準方向にて前記回転体照明光源を挟む両側にそれぞれ、位置決め突起（６２６）を有し、
前記モータケーシング及び前記モータ基板の他方は、
前記基準方向にて前記回転体照明光源を挟む両側にそれぞれ、前記位置決め突起との嵌合により前記モータケーシングを前記モータ基板に位置決めする位置決め孔（６４６）を、有し、
前記モータケーシングは、
前記実装面と面接触するように、前記回転体照明光源まわりの複数箇所に分散して突出している堤突起（６２４）を、相互間に隙間（６２５）をあけて、さらに有し、
前記位置決め突起は、前記隙間に配置されているステップモータ。
【請求項７】
回転体（４）を回転駆動するステップモータ（６）であって、
前記回転体へ回転駆動力を与えるモータ本体（６３）と、
前記モータ本体を収容しているモータケーシング（６０）と、
前記モータケーシングを保持するモータ基板（６４）とを、備え、
前記モータ基板は、
前記モータケーシングを介して前記モータ本体が実装される実装面（６４０）と、
前記実装面とは反対側の係止面（６４１）と、
前記実装面及び前記係止面の間を貫通している係止孔（６４２）とを、有し、
前記モータケーシングは、
前記実装面及び前記係止面に対し斜めに延伸した弾性変形状態で前記係止孔に挿入されている係止腕（６１５）と、
前記実装面及び前記係止面に対し斜めに広がる当接面（６１６ａ，２６１６ａ）を形成しており、前記モータ基板において前記係止面及び前記係止孔のなす係止角部（６４４）に前記当接面を当接させた状態で前記モータ基板に係止されている係止爪（６１６，２６１６）とを、有し、
前記モータ本体を通して前記回転体を照明するように、前記実装面に実装されて発光する回転体照明光源（６５）を、さらに備え、
前記モータケーシングは、
前記実装面と面接触するように、前記回転体照明光源まわりの複数箇所に分散して突出している堤突起（６２４）を、相互間に隙間（６２５）をあけて、さらに有するステップモータ。
【請求項８】
前記モータケーシングは、
前記係止腕及び前記係止爪の組を、基準方向（Ｂ）にて前記回転体照明光源を挟む両側にそれぞれ有する請求項７に記載のステップモータ。
【請求項９】
前記モータケーシング及び前記モータ基板の一方は、
前記基準方向にて前記回転体照明光源を挟む両側にそれぞれ、位置決め突起（６２６）を有し、
前記モータケーシング及び前記モータ基板の他方は、
前記基準方向にて前記回転体照明光源を挟む両側にそれぞれ、前記位置決め突起との嵌合により前記モータケーシングを前記モータ基板に位置決めする位置決め孔（６４６）を、有する請求項８に記載のステップモータ。
【請求項１０】
前記位置決め突起及び前記位置決め孔の組は、前記基準方向にて前記係止腕及び前記係止爪の組よりも前記回転体照明光源に近接配置されている請求項６または請求項９に記載のステップモータ。
【請求項１１】
前記係止爪は、
前記当接面を挟んで前記係止腕とは反対側に、前記係止面と対向する対向面（６１６ｂ）を形成している請求項６から請求項１０のいずれか１項に記載のステップモータ。
【請求項１２】
前記当接面は、
前記係止腕及び前記対向面の各々と前記当接面との境界部（６１６ｃ，６１６ｄ）間にて前記係止角部と当接するように、形成されている請求項１１に記載のステップモータ。
【請求項１３】
前記当接面（２６１６ａ）は、シボ面状に形成されている請求項１２に記載のステップモータ。
【請求項１４】
前記当接面は、
前記実装面及び前記係止面に対し４５°の傾斜角度をなすように、形成されている請求項１〜５、請求項１２および請求項１３のいずれか１項に記載のステップモータ。
【請求項１５】
請求項１〜１４のいずれか一項に記載のステップモータ（６）と、
前記回転体として車両状態値を指示する回転指針（４）とを、含んで構成されている車両用指針計器。
【請求項１６】
前記車両状態値を表示する表示部材（２）を、さらに含んで構成されており、
前記ステップモータは、
前記表示部材を照明するように、前記実装面に実装されて発光する表示照明光源（６６）を、さらに備え、
前記モータケーシングは、
前記表示照明光源側から前記表示部材側への光路（Ｌ）をあけるように、面取り形成された面取り部（６１３）を、さらに有する請求項１５に記載の車両用指針計器。
【請求項１７】
回転体（４）を回転駆動するステップモータ（６）であって、
前記回転体へ回転駆動力を与えるモータ本体（６３）と、
前記モータ本体を収容しているモータケーシング（６０）と、
前記モータケーシングを保持するモータ基板（６４）とを、備え、
前記モータ基板は、
前記モータケーシングを介して前記モータ本体が実装される実装面（６４０）と、
前記実装面とは反対側の係止面（６４１）と、
前記実装面及び前記係止面の間を貫通している係止孔（６４２）とを、有し、
前記モータケーシングは、
前記実装面及び前記係止面に対し斜めに延伸した弾性変形状態で前記係止孔に挿入されている係止腕（６１５）と、
前記実装面及び前記係止面に対し斜めに広がる当接面（６１６ａ，２６１６ａ）を形成しており、前記モータ基板において前記係止面及び前記係止孔のなす係止角部（６４４）に前記当接面を当接させた状態で前記モータ基板に係止されている係止爪（６１６，２６１６）とを、有するステップモータと、
前記回転体として車両状態値を指示する回転指針（４）と、
前記車両状態値を表示する表示部材（２）とを、含んで構成されており、
前記ステップモータは、
前記表示部材を照明するように、前記実装面に実装されて発光する表示照明光源（６６）を、さらに備え、
前記モータケーシングは、
前記表示照明光源側から前記表示部材側への光路（Ｌ）をあけるように、面取り形成された面取り部（６１３）を、さらに有する車両用指針計器。
【手続補正２】
【補正対象書類名】明細書
【補正対象項目名】０００８
【補正方法】変更
【補正の内容】
【０００８】
上述の課題を解決するために開示された第一発明は、
回転体（４）を回転駆動するステップモータ（６）であって、
回転体へ回転駆動力を与えるモータ本体（６３）と、
モータ本体を収容しているモータケーシング（６０）と、
モータケーシングを保持するモータ基板（６４）とを、備え、
モータ基板は、
モータケーシングを介してモータ本体が実装される実装面（６４０）と、
実装面とは反対側の係止面（６４１）と、
実装面及び係止面の間を貫通している係止孔（６４２）とを、有し、
モータケーシングは、
実装面及び係止面に対し斜めに延伸した弾性変形状態で係止孔に挿入されている係止腕（６１５）と、
実装面及び係止面に対し斜めに広がる当接面（２６１６ａ）を形成しており、モータ基板において係止面及び係止孔のなす係止角部（６４４）に当接面を当接させた状態でモータ基板に係止されている係止爪（６１６，２６１６）とを、有し、
係止爪は、
当接面を挟んで係止腕とは反対側に、係止面と対向する対向面（６１６ｂ）を形成しており、
当接面は、
係止腕及び対向面の各々と当接面との境界部（６１６ｃ，６１６ｄ）間にて係止角部と当接するように、シボ面状に形成されている。
また、上述の課題を解決するために開示された第二発明は、
回転体（４）を回転駆動するステップモータ（６）であって、
回転体へ回転駆動力を与えるモータ本体（６３）と、
モータ本体を収容しているモータケーシング（６０）と、
モータケーシングを保持するモータ基板（６４）とを、備え、
モータ基板は、
モータケーシングを介してモータ本体が実装される実装面（６４０）と、
実装面とは反対側の係止面（６４１）と、
実装面及び係止面の間を貫通している係止孔（６４２）とを、有し、
モータケーシングは、
実装面及び係止面に対し斜めに延伸した弾性変形状態で係止孔に挿入されている係止腕（６１５）と、
実装面及び係止面に対し斜めに広がる当接面（２６１６ａ）を形成しており、モータ基板において係止面及び係止孔のなす係止角部（６４４）に当接面を当接させた状態でモータ基板に係止されている係止爪（６１６，２６１６）とを、有し、
モータ本体を通して回転体を照明するように、実装面に実装されて発光する回転体照明光源（６５）を、さらに備え、
モータケーシングは、
係止腕及び係止爪の組を、基準方向（Ｂ）にて回転体照明光源を挟む両側にそれぞれ有し、
モータケーシング及びモータ基板の一方は、
基準方向にて回転体照明光源を挟む両側にそれぞれ、位置決め突起（６２６）を有し、
モータケーシング及びモータ基板の他方は、
基準方向にて回転体照明光源を挟む両側にそれぞれ、位置決め突起との嵌合によりモータケーシングをモータ基板に位置決めする位置決め孔（６４６）を、有し、
モータケーシングは、
実装面と面接触するように、回転体照明光源まわりの複数箇所に分散して突出している堤突起（６２４）を、相互間に隙間（６２５）をあけて、さらに有し、
位置決め突起は、隙間に配置されている
また、上述の課題を解決するために開示された第三発明は、
回転体（４）を回転駆動するステップモータ（６）であって、
回転体へ回転駆動力を与えるモータ本体（６３）と、
モータ本体を収容しているモータケーシング（６０）と、
モータケーシングを保持するモータ基板（６４）とを、備え、
モータ基板は、
モータケーシングを介してモータ本体が実装される実装面（６４０）と、
実装面とは反対側の係止面（６４１）と、
実装面及び係止面の間を貫通している係止孔（６４２）とを、有し、
モータケーシングは、
実装面及び係止面に対し斜めに延伸した弾性変形状態で係止孔に挿入されている係止腕（６１５）と、
実装面及び係止面に対し斜めに広がる当接面（２６１６ａ）を形成しており、モータ基板において係止面及び係止孔のなす係止角部（６４４）に当接面を当接させた状態でモータ基板に係止されている係止爪（６１６，２６１６）とを、有し、
モータ本体を通して回転体を照明するように、実装面に実装されて発光する回転体照明光源（６５）を、さらに備え、
モータケーシングは、
実装面と面接触するように、回転体照明光源まわりの複数箇所に分散して突出している堤突起（６２４）を、相互間に隙間（６２５）をあけて、さらに有する。
【手続補正３】
【補正対象書類名】明細書
【補正対象項目名】０００９
【補正方法】変更
【補正の内容】
【０００９】
また、上述の課題を解決するために開示された第四発明は、
第一発明乃至第三発明のいずれかに係るステップモータ（６）と、
回転体として車両状態値を指示する回転指針（４）とを、含んで構成されている。
また、上述の課題を解決するために開示された第五発明は、
回転体（４）を回転駆動するステップモータ（６）であって、
回転体へ回転駆動力を与えるモータ本体（６３）と、
モータ本体を収容しているモータケーシング（６０）と、
モータケーシングを保持するモータ基板（６４）とを、備え、
モータ基板は、
モータケーシングを介してモータ本体が実装される実装面（６４０）と、
実装面とは反対側の係止面（６４１）と、
実装面及び係止面の間を貫通している係止孔（６４２）とを、有し、
モータケーシングは、
実装面及び係止面に対し斜めに延伸した弾性変形状態で係止孔に挿入されている係止腕（６１５）と、
実装面及び係止面に対し斜めに広がる当接面（２６１６ａ）を形成しており、モータ基板において係止面及び係止孔のなす係止角部（６４４）に当接面を当接させた状態でモータ基板に係止されている係止爪（６１６，２６１６）とを、有するステップモータと、
回転体として車両状態値を指示する回転指針（４）と、
車両状態値を表示する表示部材（２）とを、含んで構成されており、
ステップモータは、
表示部材を照明するように、実装面に実装されて発光する表示照明光源（６６）を、さらに備え、
モータケーシングは、
表示照明光源側から表示部材側への光路（Ｌ）をあけるように、面取り形成された面取り部（６１３）を、さらに有する。
【手続補正４】
【補正対象書類名】明細書
【補正対象項目名】００１０
【補正方法】変更
【補正の内容】
【００１０】
第一乃至第五発明によると、モータケーシングにおいてモータ基板に係止される係止爪は、同基板の実装面及び係止面に対し斜めに広がる当接面を、同基板にて係止面及び係止孔のなす係止角部に、当接させている。これによれば、モータ基板の実装面及び係止面に対し斜めに延伸した弾性変形状態となるように係止腕を係止孔へ挿入することで、係止角部に対する当接面の当接箇所では、それら両面に対する平行方向と垂直方向とにそれぞれ必要荷重を作用させることができる。故に、モータケーシングを介したモータ基板へのモータ本体の実装構造により耐震強度を高める上では、係止腕の長さを平行方向に沿って確保する必要性から解放され得る。以上より、耐久性を向上させる実装構造の小型化を、図ることが可能となる。